(57)【特許請求の範囲】
【請求項１】
屋外用機器の端子を覆う防水キャップであって、
一端と他端とを有する筒状に形成され、前記一端が開口し、前記一端において前記屋外用機器に装着される、本体部と、
前記他端を閉塞する板状の形状を有し、厚み方向に貫通するスリットの形成された壁部と、
前記他端に連結され、前記本体部の延在方向に延びるスカート部と、を備え、
前記スカート部は、弾性材料製であり、前記他端から離れる先端に向かって先細形状に形成されており、
前記スカート部は、前記先端において、相対的に径が変化する波形形状を有する、防水キャップ。
【請求項２】
前記壁部は、中央部と周縁部とを有し、前記周縁部において前記本体部に接合されており、
前記中央部は、前記周縁部に対して前記一端側に突出する、請求項１に記載の防水キャップ。
【請求項３】
前記壁部は、中央部と周縁部とを有し、前記周縁部において前記本体部に接合されており、
前記中央部の厚みは、前記周縁部の厚みよりも小さい、請求項１または請求項２に記載の防水キャップ。
【請求項４】
前記先端には、相対的に径の大きい大径部と相対的に径の小さい小径部とが形成され、
前記本体部の延在方向における前記スリットの投影は、前記小径部に重なる、請求項１に記載の防水キャップ。
【発明の詳細な説明】
【技術分野】
【０００１】
本発明は、防水キャップに関し、特に、屋外用機器の端子を覆い端子への水の浸入を抑制する防水キャップに関する。
【背景技術】
【０００２】
従来、屋外に設置されたアンテナなどの屋外用機器に対し、十分な防水効果が得られるように、給電線を接続する端子に防水キャップを設けることが知られている。従来の防水キャップに関し、特開平１０−１２５３８８号公報（特許文献１）には、同軸ケーブルが接続される給電部をカバーする防雨キャップを、円筒部と、円筒部に続くテーパ部と、テーパ部に続く重合部からなる構成とし、重合部の下端をＶ字状に形成し、同軸ケーブルが防雨キャップ内に挿通されたときに、重合部の下端に間隙を生じさせ、この間隙から内部に浸入した雨水が放出される技術が開示されている。
【０００３】
屋外用機器の端子に同軸ケーブルを接続する場合、同軸ケーブルの先端部には同軸コネクタが取り付けられ、この同軸コネクタが端子に固定される。特許文献１に記載の防水キャップでは、同軸ケーブルを防水キャップに挿通した後に同軸ケーブルの先端部に同軸コネクタを取り付ける必要があるため、屋外での作業工数が増大し施工性に劣る問題があった。この問題に対し、特開２０１０−２３１８９０号公報（特許文献２）には、接栓付きの同軸ケーブルを挿通可能とし施工性を向上させた防水キャップが開示されている。
【先行技術文献】
【特許文献】
【０００４】
【特許文献１】特開平１０−１２５３８８号公報
【特許文献２】特開２０１０−２３１８９０号公報
【発明の概要】
【発明が解決しようとする課題】
【０００５】
特許文献２に記載の防水キャップでは、接栓の取り付けられた同軸ケーブルに接栓側から防水キャップを取り付けるために、防水キャップに大きな開口を形成する必要がある。そのため、同軸ケーブルおよび防水キャップを屋外用機器に組み付けた状態で、同軸ケーブルの外周面まわりに隙間が形成される。この隙間が大きいと、隙間を経由して多量の水が防水キャップ内に浸入する可能性がある。浸入した水が端子に到達すると、接触不良を起こす原因となる。
【０００６】
従来、同軸ケーブルの配置を容易にするため、防水キャップの長さをできるだけ小さくしたい要求がある。これに対し、防水キャップに浸入した水が端子に到達するのを防止するには、防水キャップの延在方向の長さを大きくする必要があるが、防水キャップの長さが大きいと同軸ケーブルの配置において不利であった。さらに、防水キャップの長さが大きいと、同軸ケーブルの引き回しによって防水キャップが変形し、同軸ケーブルの外周面まわりの隙間が増大する可能性がある。すなわち、従来の防水キャップでは、十分な止水性能を確保するのが困難である、という問題があった。
【０００７】
本発明は上記の課題に鑑みてなされたものであり、その主たる目的は、施工性を向上できるとともに十分な止水性能を確保できる、防水キャップを提供することである。
【課題を解決するための手段】
【０００８】
本発明に係る防水キャップは、屋外用機器の端子を覆う防水キャップであって、本体部と、壁部と、スカート部とを備える。本体部は、一端と他端とを有する筒状に形成され、一端が開口し、一端において屋外用機器に装着される。壁部は、本体部の他端を閉塞する板状の形状を有する。壁部には、厚み方向に壁部を貫通するスリットが形成されている。スカート部は、本体部の他端に連結され、本体部の延在方向に延びる。
【０００９】
上記防水キャップにおいて、スカート部は、弾性材料製であり、他端から離れる先端に向かって先細形状に形成されていてもよい。
【００１０】
上記防水キャップにおいて、壁部は、中央部と周縁部とを有し、周縁部において本体部に接合されており、中央部は、周縁部に対して一端側に突出してもよい。
【００１１】
上記防水キャップにおいて、壁部は、中央部と周縁部とを有し、周縁部において本体部に接合されており、中央部の厚みは、周縁部の厚みよりも小さくてもよい。
【００１２】
上記防水キャップにおいて、スカート部は、先端において、相対的に径が変化する波形形状を有してもよい。
【００１３】
上記防水キャップにおいて、スカート部の先端には、相対的に径の大きい大径部と相対的に径の小さい小径部とが形成され、本体部の延在方向におけるスリットの投影は、小径部に重なってもよい。
【発明の効果】
【００１４】
本発明の防水キャップによると、施工性を向上できるとともに、十分な止水性能を確保することができる。
【図面の簡単な説明】
【００１５】
【図１】本実施の形態に係る防水キャップの斜視図である。
【図２】図１に示す防水キャップを異なる角度から見た斜視図である。
【図３】本実施の形態に係る防水キャップの平面図である。
【図４】本実施の形態に係る防水キャップの側面図である。
【図５】本実施の形態に係る防水キャップの底面図である。
【図６】図４中に示すＶＩ−ＶＩ線に沿う防水キャップの断面図である。
【図７】図６に示す防水キャップを他の角度から見た断面斜視図である。
【図８】図６に示す防水キャップをさらに他の角度から見た断面斜視図である。
【図９】防水キャップに同軸ケーブルを挿通する前の状態を示す斜視図である。
【図１０】図９に示す防水キャップと同軸ケーブルとの部分断面図である。
【図１１】防水キャップに同軸ケーブルを挿通中の第一の状態を示す部分断面図である。
【図１２】防水キャップに同軸ケーブルを挿通中の第二の状態を示す部分断面図である。
【図１３】防水キャップに同軸ケーブルを挿通中の第三の状態を示す部分断面図である。
【図１４】防水キャップに同軸ケーブルを挿通した後の状態を示す斜視図である。
【図１５】屋外用機器の一例に防水キャップを取り付ける前の状態を示す斜視図である。
【図１６】屋外用機器の一例に防水キャップを取り付けた後の状態を示す斜視図である。
【図１７】防水キャップを取り付けた状態の屋外用機器の一例の部分断面図である。
【図１８】屋外用機器の他の例に防水キャップを取り付ける前の状態を示す斜視図である。
【図１９】屋外用機器の他の例に防水キャップを取り付けた後の状態を示す斜視図である。
【図２０】防水キャップを取り付けた状態の屋外用機器の他の例の部分断面図である。
【発明を実施するための形態】
【００１６】
以下、図面に基づいてこの発明の実施の形態を説明する。なお、以下の図面において、同一または相当する部分には同一の参照番号を付し、その説明は繰返さない。
【００１７】
図１は、本実施の形態に係る防水キャップ１の斜視図である。図２は、図１に示す防水キャップ１を異なる角度から見た斜視図である。図３は、本実施の形態に係る防水キャップ１の平面図である。図４は、本実施の形態に係る防水キャップ１の側面図である。図５は、本実施の形態に係る防水キャップ１の底面図である。図６は、図４中に示すＶＩ−ＶＩ線に沿う防水キャップ１の断面図である。図７は、図６に示す防水キャップ１を他の角度から見た断面斜視図である。図８は、図６に示す防水キャップ１をさらに他の角度から見た断面斜視図である。図１〜８を参照して、本実施の形態の防水キャップ１の構成について説明する。
【００１８】
防水キャップ１は、弾力性を有するエラストマーなどの柔軟な材質を有する材料により形成されており、たとえばゴム製の防水キャップ１とすることができる。防水キャップ１は、本体部１０を備える。本体部１０は、内径が一定の略円筒形状に形成されている。本体部１０には、係合部１６と、位置決め部１７と、リブ部１８とが設けられている。係合部１６、位置決め部１７およびリブ部１８は、本体部１０の外周面から本体部１０の径方向外側に突出した、円環状の形状を有する。
【００１９】
後述するように防水キャップ１を屋外用機器に取り付けるとき、係合部１６が屋外用機器に係合し、位置決め部１７が屋外用機器の接続部分に当接する。位置決め部１７は、屋外用機器の接続部分に防水キャップ１が嵌め入れられる深さを設定する。これにより、防水キャップ１は、適切な位置で屋外用機器に取り付けられる。
【００２０】
本体部１０は、一方側の端部である一端１２と、他方側の端部である他端１４と、を有する。本体部１０の一端１２は開口している。防水キャップ１は、一端１２において、屋外用機器に装着される。本体部１０の他端１４は、壁部２０により閉塞されている。
【００２１】
壁部２０は、本体部１０の他端１４の、筒状の本体部１０の内側に取り付けられている。壁部２０は、円板状の平面形状を有する。壁部２０は、中央部２２と周縁部２４とを有し、周縁部２４において本体部１０の他端１４に接合されている。壁部２０は、本体部１０の内部において、本体部１０の他端１４から連続的に延設される。壁部２０は、他端１４における本体部１０の内周壁の範囲内に形成されている。
【００２２】
図６〜８の防水キャップ１の断面図に示すように、壁部２０の中央部２２は、周縁部２４に対して本体部１０の一端１２側に突出している。また壁部２０は、中央部２２の厚みが周縁部２４の厚みよりも小さいように形成されている。
【００２３】
壁部２０には、壁部２０を厚み方向に貫通するスリット２６が形成されている。スリット２６は、本体部１０の他端１４の内周に対し内側に形成されている。スリット２６は、壁部２０の平面形状である円の中心を通り、当該円の周縁部近傍にまで至る位置において、壁部２０の一部が欠損した形状に形成されている。スリット２６は、壁部２０の平面形状である円の直径に沿う直線状に形成されている。スリット２６が形成されていることにより、屋外用機器に接続されるケーブルが壁部２０を貫通して防水キャップ１に挿通可能となる。スリット２６は、予めＦ接栓が組み付けられた状態の同軸ケーブルをＦ接栓が組み付けられた側から防水キャップ１に挿入できるような寸法に形成されている。スリット２６の数、形状および寸法は、本実施の形態の例に限定されるものではない。
【００２４】
同軸ケーブルを防水キャップ１に挿通する前の、防水キャップ１に外力が作用していない状態では、壁部２０は、筒状の本体部１０の他端１４を略閉塞させる。同軸ケーブルを防水キャップ１に挿通した後では、同軸ケーブルがスリット２６内に配置されることにより、壁部２０は弾性変形する。壁部２０に発生した応力によって、壁部２０は、同軸ケーブルの外周面を挟持する。
【００２５】
壁部２０の中央部２２の厚みが周縁部２４の厚みよりも小さいので、壁部２０は中央部２２において相対的に弾性率が小さく、中央部２２がより容易に弾性変形可能である。そのため壁部２０は、壁部２０を貫通する同軸ケーブルの外周面により近接、好ましくは接触するように変形できる。壁部２０の変形によって、壁部２０と同軸ケーブルとの間に発生する隙間をより小さくできるので、防水キャップ１内に浸入した水が壁部２０を越えて流れることを抑制でき、防水キャップ１の止水性能を向上できる。
【００２６】
防水キャップ１はまた、スカート部３０を備える。スカート部３０は、本体部１０の他端１４に連結され、本体部１０の延在方向に延びる。スカート部３０は、内部が空洞の筒状に形成されており、本体部１０および壁部２０と同心に配置されている。スカート部３０は、本体部１０の他端１４から離れる側の端部である先端３２と、本体部１０の他端１４に接合する側の端部である末端３４とを有する。スカート部３０は、弾性材料製である。スカート部３０は、末端３４から先端３２に向かって先細る、先細形状に形成されている。スカート部３０の、防水キャップ１の延在方向に直交する断面における断面積は、末端３４において最大であり、先端３２に向かって漸次減少する。
【００２７】
図２および図５に明らかに示されるように、スカート部３０は、先端３２において、相対的に径が変化する波形形状３６を有する。スカート部３０の先端３２には、相対的に径の大きい大径部３７と相対的に径の小さい小径部３８とが形成されている。スカート部３０の先端３２において、大径部３７と小径部３８とが周方向に交互に形成されることにより、波形形状３６が形成される。本実施の形態の波形形状３６は、二つの大径部３７と二つの小径部３８とを含む。大径部３７および小径部３８の数はこの例に限られるものではなく、任意の数および形状の大径部３７と小径部３８とによって波形形状３６が形成されてもよい。
【００２８】
大径部３７の径は、末端３４におけるスカート部３０の径と同等であってもよい。つまり大径部３７は、防水キャップ１の本体部１０と略等しい径を有してもよい。小径部３８の径は、大径部３７の径よりも小さい。小径部３８は、防水キャップ１に挿通される同軸ケーブルの外径と同等、または同軸ケーブルの外径よりもわずかに小さい径を有してもよい。この場合、同軸ケーブルを防水キャップ１に挿通したとき、同軸ケーブルの外周面に小径部３８が近接または接触し、スカート部３０の先端３２の開口面積を減少できる。そのため、先端３２を経由して防水キャップ１の内部へ水が入り込むことを抑制できるので望ましい。
【００２９】
筒状の本体部１０の延在方向に沿って防水キャップ１を上方から見た図３には、本体部１０の内部空間に対し奥側に設けられた壁部２０が図示され、壁部２０に形成されたスリット２６を通してスカート部３０の小径部３８が図示されている。筒状の本体部１０の延在方向に沿って防水キャップ１を下方から見た図５には、スカート部３０の先端３２における波形形状３６と、スカート部３０の内部空間に対し奥側に設けられた壁部２０とが図示されている。
【００３０】
図３および図５から明らかなように、本体部１０の延在方向におけるスリット２６の投影は、小径部３８に重なっている。スリット２６とスカート部３０との配置をこのように調節することで、スカート部３０の先端３２の開口に対するスリット２６の投影面積が減少する。そのため、スカート部３０の先端３２の開口を経由してスカート部３０の内部空間に浸入した水分が、スリット２６を通過してさらに本体部１０の内部にまで流れることが抑制されている。
【００３１】
防水キャップ１は、任意の公知の方法で製造することができ、典型的には金型を使用した射出成形によって製造されてもよい。壁部２０によって本体部１０側とスカート部３０側が仕切られた形状の防水キャップ１を射出成形で製造する場合、本体部１０の内周面および壁部２０の一方の表面を成形するための第一の金型を一端１２側から離型させ、スカート部３０の内周面および壁部２０の他方の表面を成形するための第二の金型を先端３２側から離型させる必要がある。スカート部３０を先細形状に成形する場合、第二の金型の離型が困難となるが、本実施の形態の防水キャップ１では、弾性材料でスカート部３０を形成し、スカート部３０の先端３２に波形形状３６を設けることで、金型を抜くときに波形形状３６が容易に変形することで先端３２の径を拡大できる。これにより、より容易な離型が可能となるので、生産性を向上することができる。
【００３２】
以上の構成を備える防水キャップ１に同軸ケーブル２００を組み付ける手順について説明する。図９は、防水キャップ１に同軸ケーブル２００を挿通する前の状態を示す斜視図である。図１０は、図９に示す防水キャップ１と同軸ケーブル２００との部分断面図である。図１１〜１３は、防水キャップ１に同軸ケーブル２００を挿通中の状態を示す部分断面図である。図１４は、防水キャップ１に同軸ケーブル２００を挿通した後の状態を示す斜視図である。
【００３３】
同軸ケーブル２００の端部には、同軸コネクタ２０４が取り付けられている。同軸コネクタ２０４は、Ｆ型コネクタ（Ｆ接栓）である。同軸ケーブル２００の芯線２０２は、同軸コネクタ２０４の内側に突き出している。同軸コネクタ２０４は、固定リング２０６によって固定される。固定リング２０６には、リング状の部材の一部を縮径させ固定リング２０６の形状へ加工するとき、工具を使ってかしめるためのつまみ部２０８が設けられている。防水キャップ１の本体部１０は、防水キャップ１を貫通する同軸ケーブル２００に取り付けられる同軸コネクタ２０４の外形に合わせられ、同軸コネクタ２０４の最大径よりも大きい内径を有する。
【００３４】
図９および図１０に示す、同軸ケーブル２００が未だ防水キャップ１に組み付けられていない状態から、同軸ケーブル２００に取り付けられた同軸コネクタ２０４を、スカート部３０の先端３２側から防水キャップ１に押し付ける。このとき、スカート部３０の先端３２は、径方向外側へ弾性変形して、同軸コネクタ２０４が先端３２を通過可能なように拡径する。より詳細には、スカート部３０の先端３２の小径部３８が特に大きく弾性変形して、同軸コネクタ２０４が先端３２を通過可能なように、先端３２の開口面積を増大させる。
【００３５】
同軸コネクタ２０４は同軸ケーブル２００よりも径が大きい。そのため、同軸コネクタ２０４が先端３２を完全に通過した後、同軸コネクタ２０４がスカート部３０の先端３２を押し広げる力が除かれると、スカート部３０の先端３２は、径方向内側へ再度変形して、元の形状へ近づく。この先端３２の変形によって、先端３２における同軸ケーブル２００の外周面とスカート部３０との間の隙間が小さくなる。そのため、先端３２から雨水の飛沫が防水キャップ１の内部へ浸入することが抑制される。
【００３６】
同軸ケーブル２００がさらに防水キャップ１内へ押し入れられると、同軸コネクタ２０４は続いて壁部２０に押し付けられる。このとき壁部２０は弾性変形して、スリット２６の開口面積を増大させる。この壁部２０の変形によって、図１１および図１２に示すように、同軸コネクタ２０４はスリット２６を通過可能になる。壁部２０が、周縁部２４に対して中央部２２が本体部１０の一端１２側に突出するテーパ形状に形成されているので、同軸コネクタ２０４を壁部２０に押し当てるとき、芯線２０２の壁部２０への接触を抑制でき、芯線２０２の変形を防止することができる。
【００３７】
このとき、壁部２０の中央部２２が周縁部２４に対して本体部１０の一端１２側に突出しているので、スカート部３０側から壁部２０に同軸コネクタ２０４を押し付けると、壁部２０は、スリット２６を拡げる向きに変形する。これにより同軸コネクタ２０４がスリット２６を通過し易い構造となっている。
【００３８】
また壁部２０は、中央部２２の厚みが周縁部２４の厚みよりも小さく形成されているので、中央部２２付近の剛性が小さい。そのため、同軸コネクタ２０４を押し付けられたとき、壁部２０の中央部２２付近が大きく変形し得る。これにより、スリット２６の開口面積を容易に大きくすることができるので、同軸コネクタ２０４がスリット２６を通過し易い構造となっている。また既に述べたように、壁部２０の中央部２２が容易に変形可能であることで、スリット２６を通過する同軸ケーブル２００の外周面に壁部２０が近接して、壁部２０と同軸ケーブルとの間に発生する隙間を小さくできるので、防水キャップ１の止水性能を向上できる。
【００３９】
同軸ケーブル２００は、図１３および図１４に示すように、同軸コネクタ２０４が防水キャップ１を貫通して、本体部１０の一端１２から外方向に突出するまで、防水キャップ１に挿入される。このとき壁部２０は、図１３の断面図から明らかなように、同軸ケーブル２００の挿入方向、すなわち本体部１０の一端１２側へ向かって押し上げられた状態にある。弾性変形した壁部２０が同軸ケーブル２００を挟持する付勢力によって、防水キャップ１は、同軸ケーブル２００の長手方向に対する任意の位置へ保持される。
【００４０】
続いて、図１４に示す防水キャップ１に挿通された同軸ケーブル２００を屋外用機器１００に組み付ける手順について説明する。図１５は、屋外用機器１００の一例に防水キャップ１を取り付ける前の状態を示す斜視図である。図１６は、屋外用機器１００の一例に防水キャップ１を取り付けた後の状態を示す斜視図である。図１７は、防水キャップ１を取り付けた状態の屋外用機器１００の一例の部分断面図である。図１５〜１７に示す屋外用機器１００は平面アンテナであり、平面アンテナの裏面側の同軸ケーブル２００を取り付けるための端子１０２を防水キャップ１で覆う例について説明する。
【００４１】
同軸ケーブル２００を屋外用機器１００へ組み付けるとき、まず、防水キャップ１を貫通した状態の同軸ケーブル２００の同軸コネクタ２０４が、屋外用機器１００の端子１０２に装着される。たとえば、同軸コネクタ２０４を端子１０２にネジ止めにより固定してもよい。このとき防水キャップ１は，壁部２０の弾性力によって同軸ケーブル２００の長手方向における任意の位置に保持され、防水キャップ１を作業者が保持しなくても防水キャップ１の意図しない移動を防止できるので、施工性を向上できる。
【００４２】
同軸コネクタ２０４を屋外用機器１００に取り付けた後、防水キャップ１を同軸ケーブル２００に沿わせて移動させ、屋外用機器１００に設けられた接続部分である台座１０４に防水キャップ１の本体部１０を嵌合させる。防水キャップ１は、一端１２において屋外用機器１００に装着され、図１７に示すように屋外用機器１００の端子１０２を収容する空間を形成して、屋外用機器１００の端子１０２を覆う。このようにして、防水キャップ１は屋外用機器１００の台座１０４に保持され、同軸コネクタ２０４と端子１０２との接合箇所を覆うことができる。したがって、台風などにおいて雨水が強風で吹き上げられ上方へ飛散する最悪の条件下においても、端子１０２へ雨水が到達することを防止することができる。
【００４３】
図１７に示す点線矢印は、防水キャップ１の外部から内部へ浸入する水の流れを示す。すなわち、先端３２を経由してスカート部３０の内部に水が浸入しても、壁部２０によって本体部１０内への水の浸入が抑制されるので、端子１０２まで水は到達しない状況が示されている。
【００４４】
屋外用機器１００に設けられた、防水キャップ１が嵌合するための台座１０４は、その径が本体部１０の外径と同等に形成され、その長さが本体部１０に形成された係合部１６から位置決め部１７までの長さと同等に形成される。これにより、防水キャップ１を台座１０４に嵌め入れると、係合部１６が台座１０４に係合し、位置決め部１７が台座１０４に当接することで防水キャップ１は位置決めされ、防水キャップ１は屋外用機器１００から落下することなく保持される。
【００４５】
本体部１０は、その内部空間に屋外用機器１００の端子１０２および同軸コネクタ２０４を充分に収容できるような寸法に形成される。図１７に示す例では、本体部１０の内部空間に端子１０２と同軸コネクタ２０４との両方が収容されているが、この例に限られるものではない。屋外用機器１００と防水キャップ１の本体部１０とによって閉空間が形成され、当該閉空間内に端子１０２と同軸コネクタ２０４とを収容可能であれば、防水キャップ１をどのような態様で屋外用機器１００に装着してもよい。
【００４６】
図１３に示す状態で本体部１０の一端１２側へ湾曲していた壁部２０は、防水キャップ１を屋外用機器１００に装着するための同軸ケーブル２００の長手方向に沿った防水キャップ１の移動によって、同軸ケーブル２００の外周面に対し摺動する。そのため、図１７に示すように、壁部２０はスカート部３０側へ湾曲する。このとき壁部２０によって同軸ケーブル２００が挟持されるので、防水キャップ１が同軸ケーブル２００に対し相対的に位置ずれすることを抑制できる。
【００４７】
図１８は、屋外用機器１１０の他の例に防水キャップ１を取り付ける前の状態を示す斜視図である。図１９は、屋外用機器１１０の他の例に防水キャップ１を取り付けた後の状態を示す斜視図である。図２０は、防水キャップ１を取り付けた状態の屋外用機器１１０の他の例の部分断面図である。他の例の屋外用機器１１０は、たとえば屋外用混合器または家庭用ブースターなどの、アンテナ以外の高周波機器であってもよい。図１８〜２０に示す他の例の屋外用機器１１０の端子１１２を覆う場合でも、上述した屋外用機器１００と同様に、同軸コネクタ２０４を端子１１２に接続した後に防水キャップ１を屋外用機器１１０の台座に嵌合させることで、同軸コネクタ２０４と端子１１２との接合箇所が防水キャップ１によって覆われる。これにより、端子１１２へ雨水が到達することを防止することができる。
【００４８】
以上説明した本実施の形態の防水キャップ１では、同軸コネクタを取り付けた後の同軸ケーブルを、同軸コネクタ側から貫通させることができる。そのため、予め工場内などで同軸コネクタを取り付けた同軸ケーブルを使用でき、現場作業の工数を低減できるので、施工性を向上することができる。また防水キャップ１では、従来の防水キャップにも備わる壁部２０に加えて、スカート部３０が設けられている。そのため、スカート部３０の内部への水分の入り込みが抑制され、さらに壁部２０によって本体部１０への水分の入り込みが抑制される。本体部１０内に収容される端子へ向かう水の飛沫の流れをスカート部３０と壁部２０との複数の部材によって抑制することにより、端子への水の飛沫の到達を抑制できるので、防水キャップ１により端子への水の流れを止める止水性能を向上することができる。
【００４９】
壁部２０とスカート部３０とによって止水性能を向上できるので、止水性能向上のために防水キャップ１の延在長さを大きくする必要はない。そのため、防水キャップ１を短くできるので、防水キャップ１を貫通する同軸ケーブルの配置の自由度を向上でき、防水キャップ１の直ぐ出口で同軸ケーブルを曲げて配置することが可能になる。同軸ケーブルを曲げても、防水キャップ１によって充分な止水性能を確保できることにより、同軸ケーブルの外周面と防水キャップとに亘ってビニールテープなどの被覆材料を巻き付ける、などの止水性能確保のための追加作業を必要としないので、施工性をより向上することができる。スカート部３０を先細形状とすることにより、一層スカート部３０内への雨水の浸入を抑制できるので、止水性能をより確実に確保することができる。
【００５０】
壁部２０を、中央部２２が本体部１０の一端１２側に突出する形状にすることで、容易にスリット２６に同軸ケーブルを貫通させることができるので、より施工性を向上できる。中央部２２の厚みを周縁部２４の厚みよりも小さくして中央部２２を弾性変形容易にすることで、一層容易にスリット２６に同軸ケーブルを貫通させることができ、かつ、壁部２０を貫通する同軸ケーブルを取り囲む壁部２０を同軸ケーブルに近接配置することで止水性能を一層向上することができる。
【００５１】
先細形状のスカート部３０の先端３２を波形形状にすることで、先端３２を弾性変形容易とし、先端３２からスカート部３０内への同軸ケーブル２００の挿入が容易となり、さらに施工性を向上できる。防水キャップ１の延在方向におけるスリット２６の投影を、スカート部３０の先端３２の小径部３８に重ねることで、先端３２を経由してスカート部３０内へ浸入した水がスリット２６を経由して本体部１０内へ流れることを抑制できるので、さらに止水性能を向上することができる。
【００５２】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００５３】
１  防水キャップ、１０  本体部、１２  一端、１４  他端、２０  壁部、２２  中央部、２４  周縁部、２６  スリット、３０  スカート部、３２  先端、３４  末端、３６  波形形状、３７  大径部、３８  小径部、１００，１１０  屋外用機器、１０２，１１２  端子、２００  同軸ケーブル、２０４  同軸コネクタ。
【図１】
0005887153.tif 000002
【図２】
0005887153.tif 000003
【図３】
0005887153.tif 000004
【図４】
0005887153.tif 000005
【図５】
0005887153.tif 000006
【図６】
0005887153.tif 000007
【図７】
0005887153.tif 000008
【図８】
0005887153.tif 000009
【図９】
0005887153.tif 000010
【図１０】
0005887153.tif 000011
【図１１】
0005887153.tif 000012
【図１２】
0005887153.tif 000013
【図１３】
0005887153.tif 000014
【図１４】
0005887153.tif 000015
【図１５】
0005887153.tif 000016
【図１６】
0005887153.tif 000017
【図１７】
0005887153.tif 000018
【図１８】
0005887153.tif 000019
【図１９】
0005887153.tif 000020
【図２０】
0005887153.tif 000021